(57)【要約】      （修正有）【課題】容器を手探りの状態でも、片手で簡単に開口部を認識して開閉操作ができ、開封操作までの一連の動作をスムーズに行なえ、所望の内容物を取り出せる容器を提供する。【解決手段】内容物を収容する容器本体２と、前記内容物を取り出す開口９を有する蓋体１と、が係合された縦長状のスティック型容器１０であって、前記蓋体１に形成された前記開口９を、スライド自在なスライドカバー３により覆い、かつ該カバー３と対向する位置にクリップ４を形成した。スライドカバー３は、該カバー３に形成されたスライド凸レール１７が、前記開口９の左右に形成されたスライド凹レール３２に係合して、前記スライドカバー３の裏面と、前記スライド枠１５の表面とに、複数の凹凸部材を形成し、前記開口９が所定の開口面積を形成する位置において前記凹凸部材が順次係合して、開口面積を多段階に調節可能な多段スライド機構を有するスティック型容器。【選択図】図１
2007320640.tif 000002
【特許請求の範囲】
【請求項１】
内容物を収容する容器本体と、前記内容物を取り出す開口を有する蓋体と、が係合してなる、縦長形状のスティック型容器であって、前記蓋体に形成された前記開口を、スライド自在なスライドカバーにより覆い、かつ該スライドカバーと対向する位置にクリップを形成したことを特徴とする、スティック型容器。
【請求項２】
前記開口を覆うスライド自在なスライドカバーは、該スライドカバーに形成されたスライド凸レールが、前記開口の左右側に形成されたスライド凹レールに係合して、前記スライドカバーを前記開口部へとスライド自在に形成するとともに、前記スライドカバーの裏面と、前記スライド枠の表面とに、複数の凹凸部材を形成し、前記開口が所定の開口面積を形成する位置において前記凹凸部材が順次係合することにより、開口面積を多段階に調節可能な多段スライド機構を有することを特徴とする、請求項１記載のスティック型容器。
【請求項３】
前記容器本体は、該容器本体の下方から上方へと広がるテーパーを有することを特徴とする、請求項1乃至２記載のスティック型容器。
【請求項４】
前記蓋体は、該蓋体の上方から下方へと広がるテーパーを有することを特徴とする、請求項１乃至３記載のスティック型容器。
【請求項５】
前記容器本体の内径は、容器に収容する内容物の外径の１２０％〜１５０％の範囲であることを特徴とする、請求項１乃至４記載のスティック型容器。
【請求項６】
前記スライドカバーの少なくとも一部に、凹凸形状からなる操作部を形成したことを特徴とする、請求項１乃至５記載のスティック型容器。
【請求項７】
前記容器本体もしくは前記蓋体は、半透明もしくは透明の部材からなり、前記容器内の内容物を目視可能としたことを特徴とする、請求項１乃至６記載のスティック型容器。
【発明の詳細な説明】
【技術分野】
【０００１】
本発明は、容器を直接目視しない手探りの状態であっても、片手で簡単に容器の開口部を認識して開閉操作をすることができ、かつ容器をつかみ、開封操作までの一連の動作を自然かつスムーズに行うことを可能とし、さらには所望量の内容物を選択的に簡単に取り出し可能な、可所望量の内容物を選択的に取り出し可能なスティック型容器に関する。
【背景技術】
【０００２】
清涼用粒菓や錠菓等の粒状物を小出しに使用する携帯型の振出し容器としては、例えば特許文献１に示すような、カード型のケースに設けた小出し用の穴を開閉自在のキャップによって開閉するようにしたものが、従来から知られている。しかし、この種のケースは、開封のためのキャップが、ケースの側辺に形成されているため、手探りの状態でキャップを操作する際に、キャップの位置を容易に認識することができず、ケースを何度も持ち変える必要がある場合が多い。例えば、図１４に示すように、ヒンジを介して回動するキャップＢがカードケースＡの表面Ｃの左上側辺に形成されている場合、表面Ｃを上側にして持ち、かつ、キャップＢが左上に位置するように持つことができれば、キャップＢを親指の先端で矢印の方向へと回動することにより、簡単に開封することができる。
【０００３】
しかし、キャップＢが右下に位置するように持ってしまうと、その後、ケースＡを水平に１８０度回転させて、キャップＢが左上の位置になるよう持ち直す必要がある。
また、ケースＡの裏面を上側にして持ってしまうと、カードＡを表面へとひっくり返して反転させる必要がある。また、反転させた際に、キャップＢが右下に位置した場合、さらに１８０度水平に回転させて、キャップＢが左上の位置になるように再度持ち替える動作が必要である。このように、上記例では、手探りの状態でケースを掴んだ際に、正しい位置でケースＡを持つ確率、すなわちキャップＢを認識することができる確率は４回に１回の割合である。
【０００４】
この種の携帯型の振り出し容器は、主に、シャツのポケットや上着の内ポケットに携帯し、使用時は、片手で容器を取り出しつつ持ちながら開閉封操作を行なう場合が多い。しかしながら、容器を持った瞬間にキャップの位置を認識することができず取り出した容器を、何度も持ち替えながらキャップの位置を手探りする必要があるため、消費者にとっては開封操作にストレスを感じてしまうことが多々生じていた。
【０００５】
【特許文献１】特開２００５−１８７０７７号公報
【発明の開示】
【発明が解決しようとする課題】
【０００６】
これらの課題を解決し、容器を直接目視しない手探りの状態であっても、片手で簡単に容器の開口部を認識して開閉操作をすることができ、かつ容器をつかみ、開封操作までの一連の動作を自然かつスムーズに行うことを可能とし、さらには、所望量の内容物を選択的に簡単に取り出し可能な、スティック型容器を提供することを目的とする。
【課題を解決するための手段】
【０００７】
上記課題を解決すべく、本発明の請求項１は、内容物を収容する容器本体と、前記内容物を取り出す開口を有する蓋体と、が係合してなる、縦長形状のスティック型容器であって、前記蓋体に形成された前記開口を、スライド自在なスライドカバーにより覆い、かつ該スライドカバーと対向する位置にクリップを形成したことを特徴とする、スティック型容器である。
【０００８】
請求項２記載の発明は、前記開口を覆うスライド自在なスライドカバーは、該スライドカバーに形成されたスライド凸レールが、前記開口の左右側に形成されたスライド凹レールに係合して、前記スライドカバーを前記開口部へとスライド自在に形成するとともに、前記スライドカバーの裏面と、前記スライド枠の表面とに、複数の凹凸部材を形成し、前記開口が所定の開口面積を形成する位置において前記凹凸部材が順次係合することにより、開口面積を多段階に調節可能な多段スライド機構を有することを特徴とする、スティック型容器である。
【０００９】
請求項３記載の発明は、前記容器本体は、該容器本体の下方から上方へと広がるテーパーを有することを特徴とする、スティック型容器である。
【００１０】
請求項４記載の発明は、前記蓋体は、該蓋体の上方から下方へと広がるテーパーを有することを特徴とする、スティック型容器である。
【００１１】
請求項５記載の発明は、前記容器本体の内径は、容器に収容する内容物の外径の１２０％〜１５０％の範囲であることを特徴とする、スティック型容器である。
【００１２】
請求項６記載の発明は、前記スライドカバーの少なくとも一部に、凹凸形状からなる操作部を形成したことを特徴とする、スティック型容器である。
【００１３】
請求項７記載の発明は、前記容器本体もしくは前記蓋体は、半透明もしくは透明の部材からなり、前記容器内の内容物を目視可能としたことを特徴とする、スティック型容器である。
【発明の効果】
【００１４】
本発明の請求項１は、内容物を収容する容器本体と、前記内容物を取り出す開口を有する蓋体と、が係合してなる、縦長形状のスティック型容器であって、前記蓋体に形成された前記開口を、スライド自在なスライドカバーにより覆い、かつ該スライドカバーと対向する位置にクリップを形成したことを特徴とするから、蓋体３の開口９の対向位置に形成されたクリップにより、容器をシャツのポケットや上着の内ポケットに、掛けることが可能であるとともに、クリップ部分をポケットなどに掛けた状態から、消費者が容器をつかみ、片手で持った際に、人差し指の関節部分でクリップをグリップしつつ、親指の腹部分が自然とスライドカバーに触れるような形状となっているため、その後のスライド操作がスムーズに行なえる効果がある。また、スライドカバーがクリップと反対側に形成されているため、容器をつかみポケットから取り出した際にも、ポケットとクリップとが接触する箇所と反対位置（対向する位置）にスライドカバーが形成されているため、スライドカバーがポケットと接して開封してしまうようなことがない。
【００１５】
また、請求項２記載の発明は、前記開口を覆うスライド自在なスライドカバーは、該スライドカバーに形成されたスライド凸レールが、前記開口の左右側に形成されたスライド凹レールに係合して、前記スライドカバーを前記開口部へとスライド自在に形成するとともに、前記スライドカバーの裏面と、前記スライド枠の表面とに、複数の凹凸部材を形成し、前記開口が所定の開口面積を形成する位置において前記凹凸部材が順次係合することにより、開口面積を多段階に調節可能な多段スライド機構を有することを特徴とするから、多段スライド機構のスライド操作により、所望量の内容物を選択的に取り出すことが可能である。また、容器の外観を損なうことなく、簡単な構成により、スライドカバーの開口量を調節することが可能である。または、スライドカバーを容器に強固に係合することが可能であり、スライドカバーが容器から脱落してしまうようなことがない。よって、長期間安定したスライド操作を維持することが可能である。
【００１６】
また、請求項３記載の発明は、前記容器本体は、該容器本体の下方から上方へと広がるテーパーを有することを特徴とするから、容器本体上方の大きな開口部から、縦方向へと内容物を充填しやすく、下方に向かって容器本体の内径が狭まっており、内容物が縦方向へとブロッキングすることなく、順次整列する効果がある。
【００１７】
また、請求項４記載の発明は、前記蓋体は、該蓋体の上方から下方へと広がるテーパーを有することを特徴とするから、内容物を取出す際に、上方に向かって蓋体の内径が狭まっており、内容物が開口に近づくにつれて整列する効果がある。
【００１８】
また、請求項５記載の発明は、前記容器本体の内径は、容器に収容する内容物の外径の１２０％〜１５０％の範囲であることを特徴とするから、内容物が容器本体の内部においてブロッキングすることなく、縦方向にきれいに整列する効果がある。
【００１９】
また、請求項６記載の発明は、前記スライドカバーの少なくとも一部に、凹凸形状からなる操作部を形成したことを特徴とするから、容器を目視することなく、手探りの状態でも簡単にスライドカバーの操作部を認識することが可能である。また、スライドカバーをスライドさせる際の指のすべり防止としての作用を奏することが可能である。
【００２０】
また、請求項７記載の発明は、前記容器本体もしくは前記蓋体は、半透明もしくは透明の部材からなり、前記容器内の内容物を目視可能としたことを特徴とするから、内容物の量や、整列状態を視認することが可能である。
【発明を実施するための最良の形態】
【００２１】
本発明に係る容器１０は、図１に示すように、縦長形状の容器本体２と、該容器本体２に係合する蓋体１と、該蓋体１にスライド自在に係合されたスライドカバー３とで構成されている。そして、前記蓋体１の正面には、内容物を取り出すための開口９が形成され、該開口９と対向する後方位置には、ポケットＰ等に容器を掛止するためのクリップ４が形成されている。
【００２２】
前記蓋体１へとスライド自在に係合されたスライドカバー３は、図２に示すように、多段階にスライドを停止して開口９面積を調節可能な多段スライド機構を形成しており、簡単なスライド操作により、所望量の内容物Ｂを選択的に取り出すことが可能である。図２（ａ）は閉封時を、図２（ｂ）は１個取出し時を、図２（ｃ）は２個取出し時をそれぞれ示す。さらには、蓋体３の開口９の対向する位置にクリップ４が形成されており、図３に示すように、シャツのポケットＰや上着の内ポケットＰに、掛けることが可能であるとともに、スライドカバーがクリップ４と反対側に形成されているため、容器１０をつかみポケットＰから取り出した際にも、ポケットＰとクリップ４とが当接する箇所と反対位置（対向する位置）にスライドカバー３が形成されているため、スライドカバー３がポケットＰと接して開封してしまうようなことがない。また、クリップ４部分をポケットＰなどに掛けた状態から、消費者が容器１０をつかみ、片手で持った際に、図４に示すように、自然と人差し指５０の関節部分でクリップ４をグリップしつつ、親指６０の腹部分が自然とスライドカバー３に触れるような形状となっているため、その後のスライド操作がスムーズに行なえる効果がある。
【００２３】
以下に、本発明の容器１０の構成と多段スライド機構について説明する。
先ず、本発明の容器１０は、図５に示すように、容器本体２の上方に、スライドカバー３とクリップ４とが形成された蓋体１が縦方向に係合して縦長形状の容器１０を形成している。図５（ａ）は左側面図を、図５（ｂ）は正面図を、図５（ｃ）は右側面図を、図５（ｄ）は上面図を、図５（ｅ）は下面図をそれぞれ示す。
図５（ｂ）正面図に示すように、蓋体１の正面には、内容物を取り出すための開口９（図中点線部分）が形成され、該開口９を上下にスライド自在に形成されたスライドカバー３により覆っている。そして、図５（ａ）（ｃ）の各側面図および図５（ｄ）（ｅ）に示すように、開口９を覆うスライドカバー３と対向する位置（反対位置）に、クリップ４が形成されている。特に、開口９を含むスライドカバー３とスライドカバー３が上下に移動する範囲（スライド枠）との、対向する位置において、クリップ４が形成されており、クリップ４側の作用（引っ掛け箇所）と、内容物の取り出し箇所とが、対向に位置しているため、互いの作用が干渉されることがない。
【００２４】
容器１０は、図６に示すように、大きく分けて３つのパーツ（蓋体１、容器本体２、スライドカバー３）の組み合わせにより構成されており、特に、蓋体１は、該蓋体１とスライドカバー３とクリップ４との主要構成が一つの蓋体に結集されており、内容物の種類によって、容器本体２のみを付け替えることにより、様々な用途に適宜対応可能である。
以下に、これら３つのパーツ（蓋体１、容器本体２、スライドカバー３）各々について、その構成を説明する。
【００２５】
まず、蓋体１の構成について説明する。
図７に示すように、蓋体１は、下方に開口部Ｈを有する円筒形状の部材からなり、上方から下方へと緩やかに広がるテーパーを有する。蓋体１の正面の略上方には、内容物を取り出すための略四角形状の開口９が形成されている。この開口９の大きさは、例えば内容物がタブレット等の円形状かつ扁平な形状からなる内容物である場合、タブレットが縦に２つ以上取り出し可能な大きさを有する。図７に示す例においては、タブレットが最大で２つ取り出し可能な開口９を有する。開口９の周囲は、図示しないスライドカバー３が上下にスライドする範囲にわたって蓋体１の一部を窪ませたスライド枠１５が形成されており、該スライド枠１５の左右の側辺は、スライド方向に沿って縦方向に形成された凸形状のレール１７を介して、さらに外側に凹形状のスライド凹レール１９が縦方向に形成されている。このスライド凹レール１９に、後述する、スライドカバー３の左右に形成されたスライド凸レール３２が係合して、スライド凹レール１９に沿って、スライドカバー３がスライドする。前記スライド枠１５の前記開口９の下方には、蓋体３表面の円筒形状に沿った略四半円長の溝からなる、複数のロック溝１８が形成されており、後述する、スライドカバー３のロック突起３４が、このロック溝１８に係合して、開口９を覆うスライドカバー３のスライドを停止させて、開口面積を調節する多段スライド機構を構成することが可能である。
【００２６】
このように、開口９と、スライド枠１５と、ロック溝１８と、スライド凹レール１９とからなる、多段スライド機構は、蓋体１の正面に形成されている。
一方、蓋体１の裏面（対向位置）には、蓋体１の天面から一体に、クリップ４が形成されており、また、蓋体１の天面は、正面から裏面にかけて傾斜面Ｓを形成している。
そして、蓋体１の裏面に形成されたクリップ４は、蓋体１の天面の傾斜Ｓとなめらかに連設しつつ連続して形成されている。クリップ４は、その上端部分が蓋体１の天面の一端部分と連設しており、クリップ４の下方にかけて外方へと湾曲した形状を有しており、クリップ４の下端部分は、内方へと凸形状を有する掛止部１３が形成されている。
掛止部１３と、図示しない容器本体２と、は接しておらず、わずかに隙間を残しており、クリップ４下端の隙間から、ポケットＰの縁へと、掛止することが可能である。
【００２７】
次に、前記蓋体１の正面に形成された前記開口９をスライド自在に覆うスライドカバー３について説明する。
スライドカバー３は蓋体１の正面形状に沿った湾曲形状を有し、スライドカバー３の表面には、図８（ａ）に示すように、凸形状の突起からなるスライド操作部３３が縦方向にかけて複数（３個）形成されている。一方、スライドカバー３の裏面は、図８（ｂ）に示すように、左右両側にそれぞれ縦方向の直線溝からなるロック溝３１が形成され、該ロック溝３１のさらに外方にはスライド凸レール３２が形成されている。また、スライドカバー３の裏面の中央下方部分には、凸形状の突起からなるロック突起３４（凹凸部材）が形成されている。このロック突起３４が、図示しない前記蓋体３のロック溝１８に順次係合することにより、スライドカバー３を停止させて開口９の開口面積を調節することが可能である。
【００２８】
次に、内容物を収容する容器本体２について説明する。
容器本体２は、図９（ａ）に示すように、上方に開口部Ｈを有する縦長形状の筒部材からなり、開口部Ｈの直下の、容器本体２の外周部分には、図示しない蓋体３を打栓して係合するための凸リング２１が形成されている。特に、容器本体２は、図９（ｂ）に示すように、上方に向かって緩やかなテーパーを形成しており、容器本体２の内径（ｍ、Ｍ）が、内容物の外径の１．２倍〜１．５倍の範囲で上方へと広がったテーパーを有する形状を成している。例えば、内容物の外径が１ｃｍで、容器本体２の高さｈが１０ｃｍであるならば、容器本体２の下方内径ｍを１．２ｃｍとし、かつ上方へと広がるテーパー角度θを１°〜２°の範囲内とすることにより、容器本体２の開口部Ｈの上方内径Ｍが、約１．４ｃｍ〜１．６ｃｍの開口部Ｈを形成する。このように、上方に向かって内径Ｍを大とすることにより、後述する、複数の内容物が積み重なった状態で、容器１０が振動しても、内容物が縦方向に立ってしまい通路を塞ぐブロッキングを防止することが可能である。また、内容物を充填する際に、容器本体２上方の大きな開口部Ｈから、多数の内容物を一気に充填することが可能であり、充填効率や速度が高いという効果がある。
【００２９】
このように、本発明の容器１０は、大きく分けて、容器本体２と、該容器本体２に係合する蓋体１と、該蓋体１にスライド自在に係合するスライドカバー３と、の３つのパーツからなり、以下に、これらのパーツを組み合わせて本発明の容器１０を形成する方法およびその構成について説明する。
【００３０】
まず、図１０に示すように、スライドカバー３の裏面の左右両側に形成されたスライド凸レール３２を、蓋体１の正面に形成されたスライド枠１５の左右両側に形成されたスライド凹レール１９へと係合する。このとき、蓋体１の開口９は、スライド枠１５の内側に形成されており、スライドカバー３の裏面が、開口９の周囲のスライド枠１５に当接するため、スライドカバー３と開口９とに隙間が形成されることなく、開口９を密閉することが可能である。よって、容器１０の防湿性の向上が図れる効果がある。
【００３１】
そして、蓋体１の下方内周にわたって形成された凹リング１２へと、容器本体２の上方外周に形成された凸リング２１を係合して、図１１に示すように、本発明の容器１０を形成することが可能である。特に、前記容器本体２や前記蓋体１は、半透明もしくは透明の部材であっても良く、これにより、容器１０内の内容物Ｂを目視することが可能である。また、蓋体１と容器本体２との係合部分は、凸リング２１と凹リング１２との打栓に限らず、凸ネジと凹ネジとで螺着して蓋体１と容器本体２とを係合しても良い。
【００３２】
次に、このようにして形成された容器１０の多段スライド機構の構成と所望個数の内容物を取り出す操作について説明する。
前述のとおり、蓋体１のスライド枠１５には、縦方向に３段のロック溝１８が形成されており、該ロック溝１８にスライドカバー３の内側下方に形成されたロック突起３４が、順次ロック溝１８に係合して、蓋体１の開口面積を調節することが可能である。例えば、図１２（ａ）に示すように、開口９部分を完全にスライドカバー３により覆う位置において、スライドカバー３のロック突起３４と、スライド枠１５の１段目のロック溝１８とが係合して、開口を閉封する。そして、所望個数の内容物を取り出すときには、蓋体をわずかに下方へと傾けると内容物が蓋体１の天面部分に集結するとともに、図１２（ｂ）に示すように、内容物Ｂを１個取り出し可能な開口９を形成するスライド位置までスライドカバー３をスライドさせると、スライドカバー３のロック突起３４と、スライド枠１５の２段目のロック溝１８'とが係合して、内容物を１個取り出し可能な開口を形成し、この状態で、容器１０をわずかに回転させて開口９を下方へと向けることにより、開口量に応じた１個の内容物を取り出しが可能である。そして、図１２（ｃ）に示すように、内容物Ｂを２個取り出し可能な開口９を形成するスライド位置までスライドカバー３をスライドさせると、スライドカバー３のロック突起３４と、スライド枠１５の３段目のロック溝１８"とが係合して、内容物Ｂを２個取り出し可能な開口９を形成し、容器１０を回転させて開口９を下方に向けることにより、開口量に応じた２個の内容物（Ｂ、Ｂ'）を取り出し可能である。このように、スライドカバー３のロック突起３４と、蓋体１に形成された複数段のロック溝（１８、１８'、１８"）とが、所定位置において係合して、所望個数の内容物を取り出し可能とする多段スライド機構を形成することが可能である。
【００３３】
特に、前記蓋体１の天面の内側は、開口９の上縁と同じ高さを成しており、内容物Ｂを開口９から取出す際に、内容物Ｂが蓋体１の天面の内側に当接しつつ開口９方向へとスライドして開口９から取出すことが可能であり、蓋体１の天面の内側が内容物Ｂを取り出す際のガイド的な役割を備えるものである。また、蓋体１のロック溝１８と、スライドカバー３のロック突起３４との、凹凸部材（１８，３４）が互いに係合するときに、カチッと言うロック音を発するとともに、スライドカバー３がわずかに上下運動するため、スライドカバー３が所定位置にロックしたことを耳と指との感覚で感じ取ることが可能である。また、上記例では、スライドカバー３のロック突起３４がスライドカバー３の中央（湾曲面の頂点）部分に形成されている場合を示したが、スライドカバー３をスライド操作するとき、通常、親指の腹部分でスライドカバー３の中央部分を、下方に押しながらスライド動作を行うため、親指の直下に位置するロック突起３４を下方へと押し付けてしまうこととなり、スライドやロックがスムーズに行えない恐れがある。この場合、図１３に示すように、ロック突起３４を、スライドカバー３の左右方へとわずかにずらして形成することにより、指による下方向へと力を直に受けることなく、凹凸部材（１８，３４）がスムーズに係合して滑らかにロックすることが可能である。
【００３４】
以上のように、本発明の容器１０は、蓋体１の開口９と、クリップ４とがそれぞれ対向する位置に形成されているから、容器１０を持ち上げてクリップ４の掛止を外し、容器１０をつかみスライド操作を行う、一連の操作を、スムーズかつ自然に行うことが可能であり、さらには、所望個数の内容物を簡単なスライド操作により取り出すことが可能である。または、スライド枠１５の内側に開口９が形成されているため、開口９周囲の密閉性が高く、防湿性に優れるため、容器１０内の内容物が時化ることなく、また、容器１０の振動に伴い、内容物Ｂが自然に整列して容器内で傾くことなく、内容物をスムーズに取り出すことが可能である。また、スライドカバー７を含むスライド機構は、容器の外面に形成されているため、容器の内周に突起等を形成することなく、内容物がスムーズに移動することが可能である。また、スライドカバーを閉じたとき、容器が略一体形状となり、ポケットＰに収納しやすく持ち運びに便利な、携帯性の良い容器を提供することができる。
【００３５】
また、容器本体２と、蓋体１とが別パーツ、かつ、容器本体２が下方から上方へと広がるテーパーを成すから、内容物Ｂを充填する際にも、容器本体上方の大きな開口部から、多数の内容物を一気に充填することが可能であるとともに、内容物が容器本体の内部においてブロッキングを起こすことなく、縦方向に整列しやすく、充填効率や速度が高いという効果がある。
【００３６】
スライドカバー３に形成される凸形状の部材からなる操作部３３は、凸形状を有する部材であればその形状は限定されず、例えば、凸形状のドットや、凹形状の窪みでも良い。
【００３７】
また、蓋体１に形成されるロック溝１８と、スライドカバーに形成されるロック突起３４は、蓋体１にロック突起３４およびスライドカバー３にロック溝１８と逆に形成しても良く、また、複数のロック溝１８にロック突起が順次係合する多段スライド機構は、複数のロック突起３４がロック溝１８に順次係合して多段スライド機構を形成しても良い。
【００３８】
本発明の容器１０は、上記例では円筒形状のものを示したが、これに限らず、内容物の形状に合わせた、容器形状であっても良い。例えば、三角形状や、四角形状などの多角形状のみならず、楕円形状など様々な形状が考えられる。同様に、内容物もタブレットに限られることなく、球状や多角形状やラグビーボール形状などにも適用可能である。
【図面の簡単な説明】
【００３９】
【図１】本発明の容器を示す図である。
【図２】スライドカバーの（ａ）閉封時（ｂ）１段開封時（ｃ）２段開封時を示す説明図である。
【図３】本発明の容器を操作する際の一例を示す説明図である。
【図４】本発明の容器を操作する際の一例を示す説明図である。
【図５】本発明の容器を示す図である。（ａ）容器の左側面図である。（ｂ）容器の正面図である。（ｃ）容器の右側面図である。（ｄ）容器の上面図である。（ｅ）容器の下面図である。
【図６】本発明の容器を構成するパーツを示す説明図である。
【図７】本発明の容器の蓋体を示す図である。
【図８】本発明の容器のスライドカバーを示す図である。（ａ）スライドカバーの表面を示す図である。（ｂ）スライドカバーの裏面を示す図である。
【図９】本発明の容器の容器本体を示す図である。（ａ）容器本体の斜視図である。（ｂ）容器本体の断面図である。
【図１０】（ａ）蓋体にスライドカバーを取り付ける際の一例を示す一部切断図である。スライドカバーの斜視図である。（ｂ）蓋体にスライドカバーを取り付けた際の一例を示す一部切断図である。
【図１１】本発明の容器を示す説明図である。
【図１２】本発明の容器の多段スライド機構の一例を示す（ａ）閉封時、（ｂ）１段開封時、（ｃ）２段開封時、をそれぞれ示す説明図である。
【図１３】本発明の容器の別の例を示す説明図である。
【図１４】従来の携帯容器の一例を示す説明図である。
【符号の説明】
【００４０】
１  蓋体
２  容器本体
３  スライドカバー
４  クリップ
９  開口
１０  容器（スティック型容器）
１２  凹リング
１３  掛止部
１５  スライド枠
１７  凸形状のレール
１８  ロック溝（１段目のロック溝）
１８'２段目のロック溝
１８"３段目のロック溝
１９  スライド凹レール
２１  凸リング
３１  ロック溝
３２  スライド凸レール
３３  スライド操作部
３４  ロック突起
５０  人差し指
６０  親指
Ｓ  傾斜
Ｂ  内容物
Ｈ  開口部
Ｐ  ポケット
【図１】
2007320640.tif 000003
【図２】
2007320640.tif 000004
【図３】
2007320640.tif 000005
【図４】
2007320640.tif 000006
【図５】
2007320640.tif 000007
【図６】
2007320640.tif 000008
【図７】
2007320640.tif 000009
【図８】
2007320640.tif 000010
【図９】
2007320640.tif 000011
【図１０】
2007320640.tif 000012
【図１１】
2007320640.tif 000013
【図１２】
2007320640.tif 000014
【図１３】
2007320640.tif 000015
【図１４】
2007320640.tif 000016